(57)【要約】【課題】簡潔な構成で不揮発性メモリの故障を抑制する。【解決手段】電力制御装置１２は本体ユニット１５と遠隔ユニット１６とを有する。本体ユニット１５は変換部１７と本体制御部２０とを有する。変換部１７は発電装置１１が発電する電力の特性を変換する。本体制御部２０は変換部１７を制御する。遠隔ユニット１６は不揮発性メモリ２６と遠隔制御部２８とを有する。遠隔ユニット１６は変換部１７から供給される電力により駆動する。不揮発性メモリ２６は所定のデータを記憶可能である。遠隔制御部２８は不揮発性メモリ２６にアクセスする際本体制御部２０に不揮発性メモリ２６へのアクセスに関する情報を要求し且つ該要求に対する本体制御部２０からの応答に基づいて不揮発性メモリ２６へのアクセスの可否を決める。【選択図】図１
2014143824.tif 000002
【特許請求の範囲】
【請求項１】
発電装置が発電する電力の特性を変換する変換部と、前記変換部を制御する本体制御部とを有する本体ユニットと、
前記変換部から供給される電力により駆動する遠隔ユニットと、を備え、
前記遠隔ユニットは、
所定のデータを記憶可能な不揮発性メモリと、
前記不揮発性メモリにアクセスする際、前記本体制御部に前記不揮発性メモリへのアクセスに関する情報を要求し、且つ該要求に対する前記本体制御部からの応答に基づいて前記不揮発性メモリへのアクセスの可否を決める遠隔制御部とを有する
ことを特徴とする電力制御装置。
【請求項２】
請求項１に記載の電力制御装置であって、
前記本体制御部は、前記要求に対して、前記遠隔制御部に電力を供給可能な時間を前記遠隔制御部に応答し、
前記遠隔制御部は、前記電力を供給可能な時間内で前記不揮発性メモリにアクセスする
ことを特徴とする電力制御装置。
【請求項３】
請求項２に記載の電力制御装置であって、
前記変換部は前記発電装置が発電する電力を蓄電する蓄電部を有し、
前記本体制御部は、前記蓄電部の蓄電量と、前記変換部が電力を供給する負荷機器の消費電力量とに基づいて、前記電力を供給可能な時間を前記遠隔制御部に応答する
ことを特徴とする電力制御装置。
【請求項４】
請求項３に記載の電力制御装置であって、
前記変換部は、昇圧回路および変換回路を有し、
前記蓄電部は、前記昇圧回路および前記変圧回路の間の中間リンク部に設けられるキャパシタである
ことを特徴とする電力制御装置。
【請求項５】
請求項２から請求項４のいずれか１項に記載の電力制御装置であって、
前記遠隔制御部は、前記電力を供給可能な時間内で、前記不揮発性メモリへのアクセスに関する複数の処理の中で優先順位の高い処理の実行を許可する
ことを特徴とする電力制御装置。
【請求項６】
請求項１に記載の電力制御装置であって、
前記遠隔制御部は、前記不揮発性メモリへのアクセスに要する時間を含めて前記許可を要求し、
前記本体制御部は、前記アクセスに要する時間に前記遠隔制御部に電力を供給可能であるか否かを判別して、前記遠隔制御部に応答する
ことを特徴とする電力制御装置。
【請求項７】
請求項６に記載の電力制御装置であって、
前記変換部は前記発電装置が発電する電力を蓄電する蓄電部を有し、
前記本体制御部は、前記蓄電部の蓄電量と、前記変換部が電力を供給する負荷機器の消費電力量とに基づいて、前記アクセスに要する時間に前記遠隔制御部に電力を供給可能であるか否かを判別する
ことを特徴とする電力制御装置。
【請求項８】
請求項１から請求項７のいずれか１項に記載の電力制御装置であって、前記遠隔ユニットは外部機器と通信を行うための通信部を有し、前記不揮発性メモリは、前記外部機器との通信に用いる情報を記憶することを特徴とする電力制御装置。
【請求項９】
請求項１から請求項８のいずれか１項に記載の電力制御装置であって、前記遠隔ユニットは前記本体ユニットを制御するための入力を受付ける入力部を有することを特徴とする電力制御装置。
【請求項１０】
発電装置と、
前記発電装置が発電する電力の特性を変換する変換部と、前記変換部を制御する本体制御部とを有する本体ユニットと、
前記変換部から供給される電力により駆動する遠隔ユニットとを備え、
前記遠隔ユニットは、
所定のデータを記憶可能な不揮発性メモリと、
前記不揮発性メモリにアクセスする際、前記本体制御部に前記不揮発性メモリへのアクセスに関する情報を要求し且つ該要求に対する前記本体制御部からの応答に基づいて前記不揮発性メモリへのアクセスの可否を決める遠隔制御部とを有する
ことを特徴とする電力制御システム。
【請求項１１】
発電装置が発電する電力の特性を変換する本体ユニットと、該本体ユニットから供給される電力により駆動される遠隔ユニットとを有する電力制御装置における、前記遠隔ユニット内の不揮発性メモリへのアクセスの可否を決める電力制御方法であって、
前記本体ユニットに前記不揮発性メモリへのアクセスに関する情報を要求する要求ステップと、
該要求に対する前記本体ユニットの応答に基づいて、前記不揮発性メモリへのアクセスの可否を決める決定ステップとを備える
ことを特徴とする電力制御方法。
【請求項１２】
発電装置が発電する電力の特性を変換する変換部を有する電力制御装置の本体ユニットに接続され、前記変換部から供給される電力により駆動する遠隔ユニットであって、
所定のデータを記憶可能な不揮発メモリと、
前記不揮発性メモリにアクセスする際、前記本体ユニットに前記不揮発性メモリへのアクセスに関する情報を要求し、且つ該要求に対する前記本体ユニットからの応答に基づいて前記不揮発性メモリへのアクセスの可否を決める遠隔制御部とを備える
ことを特徴とする電力制御装置の遠隔ユニット。
【発明の詳細な説明】
【技術分野】
【０００１】
本発明は、本体ユニットおよび本体ユニットから電力の供給を受ける遠隔ユニットを有し、遠隔ユニットの不揮発性メモリへのアクセスの可否を決める電力制御装置、電力制御システム、および電力制御方法に関する。
【背景技術】
【０００２】
近年、太陽光発電などの分散型電源の導入が増加している。それに伴い、分散型電源が発電する電力の直流および交流、ならびに電圧値、電流値および周波数などの特性の変換を行うパワーコンディショナなどの電力変換装置の導入も増加している。
【０００３】
分散型電源が発電する電力の特性を変換する本体ユニットとは別に本体ユニットを遠隔操作するための遠隔ユニットを有する、電力制御装置が知られている。このような電力制御装置では、遠隔ユニットに対して電力制御ユニットから電力が供給されることが一般的である。
【０００４】
分散型電源および電力制御装置は、需要家における電力の供給および分配を制御する電力制御システムに組込まれる。そのため、電力制御装置は電力制御システムを構成する他の外部機器との通信を行う。外部機器の配置を考慮して、遠隔ユニットに外部機能との通信機能が設けられる。外部機器との通信には更新され得るデータを記憶する必要があるので、遠隔ユニットには不揮発性メモリが設けられる。
【０００５】
不揮発性メモリへのデータの書込みなどのアクセス中に電力の供給が遮断されると、不揮発性メモリが故障し得る。そこで、揮発性メモリおよび不揮発性メモリ用いて当該データを記憶することも提案されている（特許文献１参照）。
【先行技術文献】
【特許文献】
【０００６】
【特許文献１】特開２００２−３７４６８２号公報
【発明の概要】
【発明が解決しようとする課題】
【０００７】
しかし、特許文献１に提案された構成によれば、複数のメモリを設ける必要があり、構成の複雑化および製造コストの増大を引起す。
【０００８】
したがって、かかる事情に鑑みてなされた本発明の目的は、簡潔な構成で不揮発性メモリの故障を抑制し得る電力制御装置、電力制御システム、遠隔ユニット、および電力制御方法を提供することにある。
【課題を解決するための手段】
【０００９】
上述した諸課題を解決すべく、第１の観点による電力制御装置は、
発電装置が発電する電力の特性を変換する変換部と、前記変換部を制御する本体制御部とを有する本体ユニットと、
前記変換部から供給される電力により駆動する遠隔ユニットとを備え、
前記遠隔ユニットは、
所定のデータを記憶可能な不揮発性メモリと、
前記不揮発性メモリにアクセスする際、前記本体制御部に前記不揮発性メモリへのアクセスに関する情報を要求し、且つ該要求に対する前記本体制御部からの応答に基づいて前記不揮発性メモリへのアクセスの可否を決める遠隔制御部とを有する
ことを特徴とするものである。
【００１０】
また、電力制御装置においては、
前記本体制御部は、前記要求に対して、前記遠隔制御部に電力を供給可能な時間を前記遠隔制御部に応答し、
前記遠隔制御部は、前記電力を供給可能な時間内で前記不揮発性メモリにアクセスする
ことが好ましい。
【００１１】
また、電力制御装置においては、
前記変換部は前記発電装置が発電する電力を蓄電する蓄電部を有し、
前記本体制御部は、前記蓄電部の蓄電量と、前記変換部が電力を供給する負荷機器の消費電力量とに基づいて、前記電力を供給可能な時間を前記遠隔制御部に応答する
ことが好ましい。
【００１２】
また、電力制御装置においては、
前記変換部は、昇圧回路と変換回路とを含み、
前記蓄電部は、前記昇圧回路および前記変圧回路の間の中間リンク部に設けられるキャパシタである
ことが好ましい。
【００１３】
また、電力制御装置においては、
前記遠隔制御部は、前記電力を供給可能な時間内で、前記不揮発性メモリへのアクセスに関する複数の処理の中で優先順位の高い処理の実行を許可する
ことが好ましい。
【００１４】
また、電力制御装置においては、
前記遠隔制御部は、前記不揮発性メモリへのアクセスに要する時間を含めて前記許可を要求し、
前記本体制御部は、前記アクセスに要する時間に前記遠隔制御部に電力を供給可能であるか否かを判別して、前記遠隔制御部に応答する
ことが好ましい。
【００１５】
また、電力制御装置においては、
前記変換部は前記発電装置が発電する電力を蓄電する蓄電部を有し、
前記本体制御部は、前記蓄電部の蓄電量と、前記変換部が電力を供給する負荷機器の消費電力量とに基づいて、前記アクセスに要する時間に前記遠隔制御部に電力を供給可能であるか否かを判別する
ことが好ましい。
【００１６】
また、電力制御装置においては、
前記遠隔ユニットは外部機器と通信を行うための通信部を有し、前記不揮発性メモリは、前記外部機器との通信に用いる情報を記憶する
ことが好ましい。
【００１７】
また、電力制御装置においては、
前記遠隔ユニットは前記本体ユニットを制御するための入力を受付ける入力部を有する
ことが好ましい。
【００１８】
また、第２の観点による電力制御システムにおいては、
発電装置と、
前記発電装置が発電する電力の特性を変換する変換部と、前記変換部を制御する本体制御部とを有する本体ユニットと、
前記変換部から供給される電力により駆動する遠隔ユニットとを備え、
前記遠隔ユニットは、
所定のデータを記憶可能な不揮発性メモリと、
前記不揮発性メモリにアクセスする際、前記本体制御部に前記不揮発性メモリへのアクセスに関する情報を要求し且つ該要求に対する前記本体制御部からの応答に基づいて前記不揮発性メモリへのアクセスの可否を決める遠隔制御部とを有する
ことを特徴とするものである。
【００１９】
また、第３の観点による遠隔ユニットにおいては、
発電装置が発電する電力の特性を変換する変換部を有する電力制御装置の本体ユニットに接続され、前記変換部から供給される電力により駆動する遠隔ユニットであって、
所定のデータを記憶可能な不揮発性メモリと、
前記不揮発性メモリにアクセスする際、前記本体ユニットに前記不揮発性メモリへのアクセスに関する情報を要求し、且つ該要求に対する前記前記本体ユニットからの応答に基づいて前記不揮発性メモリへのアクセスの可否を決める遠隔制御部とを備える
ことを特徴とするものである。
【００２０】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００２１】
例えば、本発明の第４の観点を方法として実現させた電力制御方法は、
発電装置が発電する電力の特性を変換する本体ユニットと、該本体ユニットから供給される電力により駆動される遠隔ユニットとを有する電力制御装置における、前記遠隔ユニット内の不揮発性メモリへのアクセスの可否を決める電力制御方法であって、
前記本体ユニットに前記不揮発性メモリへのアクセスに関する情報を要求する要求ステップと、
該許可の要求に対する前記本体ユニットの応答に基づいて、前記不揮発性メモリへのアクセスの可否を決める決定ステップとを備える
ことを特徴としている。
【発明の効果】
【００２２】
上記のように構成された本発明に係る電力制御装置、電力制御システム、遠隔ユニット、および電力制御方法によれば、簡潔な構成で、不揮発性メモリの故障を抑止し得る。
【図面の簡単な説明】
【００２３】
【図１】本発明の、一実施形態に係る電力制御装置を含む電力制御システムの概略構成を示す機能ブロック図である。
【図２】アクセス許可の要求の通信フォーマットである。
【図３】アクセス許可の要求を通知する状態を示す状態図である。
【図４】アクセス可否の応答の通信フォーマットである。
【図５】アクセス許可を要求するデータの内容別の優先順位を示す表である。
【図６】発電装置の発電量が負荷機器の消費電力を超えるときのアクセス可否の応答を通知する状態を示す状態図である。
【図７】供給可能時間が比較的長いときのアクセス可否の応答に基づく、アクセスの可否の判別状態を示す状態図である。
【図８】供給可能時間が比較的短いときのアクセス可否の応答に基づく、アクセスの可否の判別状態を示す状態図である。
【図９】遠隔制御部が実行する不揮発性メモリへのアクセス処理を示すフローチャートである。
【図１０】遠隔制御部が実行する本体制御部からの信号の受信処理を示すフローチャートである。
【図１１】遠隔制御部が実行する不揮発性メモリへのアクセスのサブルーチンを示すフローチャートである。
【発明を実施するための形態】
【００２４】
以下、本発明の実施形態について、図面を参照して説明する。
【００２５】
まず、本発明の一実施形態に係る電流制御装置について説明する。図１は、第１の実施形態に係る電力制御装置を含む電力制御システムの概略構成を示す機能ブロック図である。
【００２６】
一実施形態に係る電力制御システム１０は、発電装置１１および電力制御装置１２を備える。
【００２７】
図１において、各機能ブロックを結ぶ実線は、電力の流れを表す。また、図１において、各機能ブロックを結ぶ破線は、制御信号または通信される情報の流れを表す。
【００２８】
電力制御システム１０は、商用系統１３から供給される電力の他、発電装置１１が発電する電力を、負荷機器１４に供給可能である。
【００２９】
発電装置１１は、例えば太陽光を利用して発電する太陽光発電装置であって、太陽光のエネルギーを直流の電力に変換する。
【００３０】
電力制御装置１２は、本体ユニット１５および遠隔ユニット１６を有する。
【００３１】
本体ユニット１５は、変換部１７、本体メモリ１８、通信部１９、および本体制御部２０を有する。
【００３２】
変換部１７は、昇圧回路２１、蓄電部２２、および変換回路２３を有する。昇圧回路２１は、発電装置１１が発電した直流電力の電圧を昇圧し、蓄電部２２を介して昇圧した直流電力を変換回路２３に供給する。蓄電部２２は、例えばキャパシタであり、発電装置１１が発電した電力を蓄電する。蓄電部２２は、中間リンクコンデンサとも呼ばれ、昇圧回路２１および変換回路２３間の中間リンク部の電圧を保持する機能を有する。変換回路２３は、昇圧回路２１によって昇圧された直流電力および／または蓄電部２２に蓄電された直流電力を交流電力に変換する。したがって、変換部１７は、発電装置１１が発電した電力の特性を、所定の特性に変換する。変換部１７によって変換された交流電力は、単独または商用系統１３から給電される交流電力とともに、負荷機器１４および遠隔ユニット１６に供給される。
【００３３】
本体メモリ１８は、昇圧回路２１および変換回路２３の設定値および負荷機器１４の情報などを記憶する。また、本体メモリ１８は、予め実測または計算された、蓄電部２２の蓄電する電力および負荷機器１４の消費電力に応じた電力の供給可能時間を記憶する。
【００３４】
通信部１９は、遠隔ユニット１６の通信部２７と有線で接続され、発電装置１１の発電量および制御情報などを通信する。本体ユニット１５の通信部１９および遠隔ユニット１６の通信部２７間の通信規格には、例えばＲＳ４８５を適用する。当該通信規格には、他の通信方式を適用してもよい。
【００３５】
本体制御部２０は、変換部１７を含む本体ユニット１５の各部位および発電装置１１の動作を制御する。例えば、本体制御部２０は、連系運転時には発電装置１１に対してＭＰＰＴ（Maximum Power Point Tracking：最大電力点追従）制御を行ない、発電電力を最大化させる。また、本体制御部２０は、商用系統１３からの給電が停止したときの自立運転時には電力制御装置１２に接続された負荷機器１４の容量に応じた負荷追従型運転を行う。また、本体制御部２０は、後述するように、遠隔制御部２８から不揮発性メモリ２６へのアクセス許可の要求を取得するときに、電力制御装置１２に接続された負荷機器１４の容量に応じた電力の供給可能時間を遠隔制御部２８に通知する。本体制御部２０は、各部位の動作の制御に必要な情報を本体メモリ１８から読出す。
【００３６】
遠隔ユニット１６は、入力部２４、遠隔メモリ２５、不揮発性メモリ２６、通信部２７、および遠隔制御部２８を有する。前述のように、遠隔ユニット１６は、変換部１７から供給される電力に基づいて、駆動可能である。
【００３７】
入力部２４は、使用者による本体ユニット１５を含む電力制御装置１２を制御するための多様な入力を検出する。例えば、入力部２４は、使用者による電力制御システム１０における外部機器２９のＩＤなどを更新する入力を検出する。入力部２４は、検出した入力を遠隔制御部２８に通知する。
【００３８】
遠隔メモリ２５は、例えばＤＲＡＭなどであって、発電装置１１の発電量および設定値情報などを一時的に記憶する。
【００３９】
不揮発性メモリ２６は、所定のデータを書換え可能に、記憶する。所定のデータは、例えば、通信に用いる外部機器２９のＩＤおよびアドレスなどであり、設備の変更および更新により書換えが必要で、且つ電源をＯＦＦにした状態で記憶され続ける必要があるデータである。
【００４０】
通信部２７は、前述のように、本体ユニット１５の通信部１９と通信する。また、通信部２７は、ＨＥＭＳなどのように、電力制御装置１２以外の外部機器２９と通信可能である。
【００４１】
遠隔制御部２８は、遠隔ユニット１６の各部位の動作を制御する。遠隔制御部２８による制御は、入力部２４から取得する入力および本体制御部２０から取得する制御情報などに基づく。例えば、遠隔制御部２８は、本体ユニット１５から取得する発電装置１１の発電量および設定値情報などを遠隔メモリ２５に一時的に記憶させ、外部機器２９に通知する。また、遠隔制御部２８は、入力部２４による所定の入力の検出および制御情報などに基づいて、書込などの不揮発性メモリ２６へのアクセス要因の発生を認識する。遠隔制御部２８は、不揮発性メモリ２６へのアクセス要因の発生を認識するとアクセスの実行前に、アクセスの可否を決める。
【００４２】
以下に、遠隔制御部２８による不揮発性メモリ２６へのアクセスの可否の決定について、詳細に説明する。
【００４３】
例えば、遠隔制御部２８は、入力部２４が、例えば、電力制御システム１０に新規に導入される外部機器２９のＩＤおよび／またはブザー設定などの不揮発性メモリ２６への書込み入力を検出するとき、不揮発性メモリ２６へのアクセス要因の発生を認識する。また、遠隔制御部２８は、本体制御部２０および／または外部機器２９からの制御信号に基づいて、通信エラー履歴および内部エラー履歴などの不揮発性メモリ２６への書込み制御信号を取得するとき、不揮発性メモリ２６へのアクセス要因の発生を認識する。遠隔制御部２８は、アクセス要因の発生を認識するとき、所定のフォーマット（図２参照）のアクセス許可の要求を作成する。遠隔制御部２８は、遠隔ユニット１６の通信部２７に、アクセス許可の要求を本体ユニット１５の本体制御部２０に通知させる（図３参照）。
【００４４】
本体制御部２０は、アクセス許可の要求を取得すると、連系運転であるか自立運転のいずれであるか、発電装置１１の発電量、蓄電部２２の蓄電量、および負荷機器１４の消費電力に基づいて、遠隔ユニット１６への電力供給の可否を判別する。例えば、本体制御部２０は、連系運転であるときには、少なくとも商用系統１３から電力を取得可能なので、電力供給可能であると判別する。また、本体制御部２０は、自立運転時であっても、発電装置１１の発電量が負荷機器１４の消費電力よりも大きい（例えば発電装置１１が太陽光発電装置であり、日射が充分である、などの）場合には、中間リンク部の電圧は充分な値が確保できているため、蓄電部２２は蓄電状態が維持されたままであり、電力供給可能であると判別する。一方、本体制御部２０は、自立運転時且つ日射量が乏しく、発電装置１１の発電量よりも負荷機器１４の消費電力の方が大きい場合には、中間リンク部の電圧確保のため、蓄電部２２は放電を行うこととなる。そこで、本体制御部２０は、自立運転時且つ発電量が負荷機器１４の消費電力より小さいときには、蓄電部２２に蓄電した電力および負荷機器１４の消費電力に応じて、蓄電部２２にて電力供給可能な時間を算出し、当該時間内は電力供給可能であると判別する。
【００４５】
また、本体制御部２０は、遠隔ユニット１６への電力を供給可能な時間を算出する。本体制御部２０は、連系運転であるか自立運転のいずれであるか、発電装置１１の発電量、蓄電部２２に蓄電した電力、および負荷機器１４の消費電力に基づいて、電力の供給可能時間を、本体メモリ１８から読出す。
【００４６】
本体制御部２０は、電力の供給の可否の判別および供給可能時間を読出すと、所定のフォーマット（図４参照）のアクセス可否の応答を作成する。本体制御部２０は、作成した応答を、通信部１９に、遠隔制御部２８に通知させる。
【００４７】
遠隔制御部２８は、取得した応答に基づいて、不揮発性メモリ２６へのアクセスの可否を判別する。遠隔制御部２８は、アクセスの可否の判別のために、取得した供給可能時間から本体ユニット１５および遠隔ユニット１６の間の通信時間を減じることにより、現時点における供給可能時間を、アクセス可能時間として算出する。遠隔制御部２８は、実測値または計測値を、本体ユニット１５および遠隔ユニット１６の間の通信時間として用いる。本実施形態においては、例えば１ｍｓｅｃとする。遠隔制御部２８は、アクセス許可を要求するデータに対して、アクセス可能時間内にアクセス完了可能であるか否かを判別する。遠隔制御部２８は、データの種類に応じたアクセス完了に要する時間を、予め記憶したＲＯＭから読出す。また、遠隔制御部２８は、不揮発性メモリ２６へのアクセス許可の要求が複数の処理を含んでいるときには、アクセス可能時間およびそれぞれの処理に対して定められた優先順位（図５参照）に基づいて、実行する処理を選択する。遠隔制御部２８は、判別結果に基づいて、不揮発性メモリ２６へのアクセスを実行する。
【００４８】
例えば、連系運転時、および自立運転時であって発電装置１１の発電量が負荷機器１４の消費電力を越えるときには、本体ユニット１５の本体制御部２０は、９９９９ｍｓｅｃの供給可能時間で電力を供給可能であるというアクセス可否の応答を、遠隔ユニット１６の遠隔制御部２８に通知する（図６参照）。遠隔制御部２８は、供給可能時間が９９９９ｍｓｅｃであるときには、アクセス要求に含まれているすべてのデータ処理を実行する。
【００４９】
また、自立運転時であって発電装置１１の発電量が負荷機器１４の消費電力以下であるときには、本体制御部２０は負荷機器１４の消費電力に応じた供給可能時間で電力を供給可能であるというアクセス可否の応答を遠隔制御部２８に通知する。例えば、負荷機器１４の消費電力が比較的小さいときには、供給可能時間は比較的長い（図７参照）。また、負荷機器１４の消費電力が比較的大きいときには、供給可能時間は比較的短い（図８参照）。遠隔制御部２８は、供給可能時間が９９９９ｍｓｅｃでないときには、アクセス可能時間を算出し、優先順位の順番でアクセス可能時間内に実行可能なデータ処理を実行する。図７に示すように、遠隔制御部２８は、供給可能時間が１００ｍｓｅｃであるときには、通信時間を減じるとアクセス可能時間が９９ｍｓｅｃとなるため、合計で９９ｍｓｅｃ以内のデータ処理である自局アドレス書込み、ブザー設定書込み、および外部通信設定書込みを許可し、実行する。一方、遠隔制御部２８は通信エラー履歴書込みを禁止する。また、図８に示すように、遠隔制御部２８は、供給可能時間が１ｍｓｅｃであるときには、通信時間を減じるとアクセス可能時間が０ｍｓｅｃとなるため、不揮発性メモリ２６へのすべてのアクセスを禁止する。
【００５０】
次に、遠隔制御部２８が実行する不揮発性メモリ２６へのアクセス処理について、図９のフローチャートを用いて説明する。遠隔制御部２８は、電力制御装置１２の電源がＯＮになるときに、不揮発性メモリ２６へのアクセス処理を開始する。
【００５１】
ステップＳ１００において、遠隔制御部２８は、アクセス許可フラグである第１のフラグＦ１および応答待ちフラグである第２のフラグＦ２を０にリセットする。第１のフラグＦ１は、本体制御部２０からアクセス許可が出たときに１となり、遠隔制御部２８においてアクセスが終了したときに０となる。第１のフラグＦ１および第２のフラグＦ２をリセットすると、プロセスはステップＳ１０１に進む。
【００５２】
ステップＳ１０１では、遠隔制御部２８はメインループ１を開始する。メインループ１を開始すると、プロセスはステップＳ１０２に進む。
【００５３】
ステップＳ１０２では、遠隔制御部２８は、第１のフラグＦ１が０であるか否かを判別する。第１のフラグＦ１が１であるときには、プロセスはステップＳ３００に進む。第１のフラグＦ１が０のときには、プロセスはステップＳ３００、Ｓ１０３をスキップして、ステップＳ１０４に進む。
【００５４】
ステップＳ３００では、遠隔制御部２８は、後述する不揮発性メモリ２６へのアクセスのサブルーチンを実行する。不揮発性メモリ２６へのアクセスのサブルーチンを実行すると、プロセスはステップＳ１０３に進む。
【００５５】
ステップＳ１０３では、遠隔制御部２８は、第１のフラグＦ１を１に切替える。第１のフラグを切替えると、プロセスはステップＳ１０４に進む。
【００５６】
ステップＳ１０４では、遠隔制御部２８は、入力部２４への入力の検出および本体制御部２０などからの制御信号に基づき、不揮発性メモリ２６への書込および読出などのアクセス要因の発生があるか否かを判別する。アクセス要因の発生があるときには、プロセスはステップＳ１０５に進む。アクセス要因の発生が無いときには、プロセスはステップＳ１０５、Ｓ１０６をスキップしてステップＳ１０７に進む。
【００５７】
ステップＳ１０５では、遠隔制御部２８は、第２のフラグＦ２が０であるか否かを判別する。第２のフラグＦ２が０であるときには、プロセスはステップＳ１０６に進む。第２のフラグＦ２が１であるときには、プロセスはステップＳ１０６をスキップしてステップＳ１０７に進む。
【００５８】
ステップＳ１０６では、遠隔制御部２８は、本体制御部２０にアクセス許可の要求を送信する。また、遠隔制御部２８は、第２のフラグＦ２を１に切替える。アクセス許可の要求の送信後、プロセスはステップＳ１０７に進む。
【００５９】
ステップＳ１０７では、遠隔制御部２８は、電力制御装置１２の電源がＯＦＦになっているか否かを判別する。電源がＯＮであるときには、遠隔制御部２８は、メインループ１（ステップＳ１０１からＳ１０８）を繰返す。電源がＯＦＦであるときには、メインループ１を抜け、アクセス処理を終了する。
【００６０】
次に、遠隔制御部２８が実行する本体制御部２０から信号の受信処理について、図１０のフローチャートを用いて説明する。遠隔制御部２８は、本体制御部２０から信号を受信するときに受信処理を開始する。
【００６１】
ステップＳ２００において、遠隔制御部２８は、本体制御部２０から受信した信号がアクセス可否の応答であるか否かを判別する。アクセス可否の応答でないときには、プロセスはステップＳ２０１に進む。アクセス可否の応答であるときには、プロセスはステップＳ２０２に進む。
【００６２】
ステップＳ２０１では、遠隔制御部２８は、信号に応じた処理を実行する。処理の実行後、受信処理は終了する。
【００６３】
ステップＳ２０２では、遠隔制御部２８は、アクセス可否の応答における結果がＯＫ即ちアクセス可能であるか、ＮＧ即ちアクセス不可であるかを判別する。アクセス不可であるときには、プロセスはステップＳ２０３に進む。アクセス可能であるときには、プロセスはステップＳ２０４に進む。
【００６４】
ステップＳ２０３では、遠隔制御部２８は、第１のフラグＦ１を０に切替え、第２のフラグＦ２を０に切替える。第１のフラグＦ１および第２のフラグＦ２の切替え後、受信処理を終了する。
【００６５】
ステップＳ２０４では、遠隔制御部２８は、第１のフラグＦ１を１に切替え、第２のフラグＦ２を０に切替える。第１のフラグＦ１および第２のフラグＦ２の切替え後、プロセスはステップＳ２０５に進む。
【００６６】
ステップＳ２０５では、遠隔制御部２８は、アクセス可否の応答に含まれる電力の供給可能時間から、本体ユニット１５および遠隔ユニット１６の間の通信時間を減じることによりアクセス可能時間Ｔを算出する。アクセス可能時間Ｔの算出後、受信処理を終了する。
【００６７】
次に、遠隔制御部２８が、ステップＳ３００において実行する不揮発性メモリ２６へのアクセスのサブルーチンを、図１１のフローチャートを用いて説明する。前述のように、ステップＳ１０２において、遠隔制御部２８が第１のフラグＦ１が１であると判別するとき、遠隔制御部２８は、不揮発性メモリ２６へのアクセスのサブルーチンを開始する。
【００６８】
ステップＳ３０１において、遠隔制御部２８は、アクセス可能時間Ｔが０を超えるか否かを判別する。アクセス可能時間Ｔが０を超えるときに、プロセスはステップＳ３０２に進む。アクセス可能時間Ｔが０以下であるときに、不揮発性メモリ２６へのアクセスのサブルーチンは終了する。
【００６９】
ステップＳ３０２では、遠隔制御部２８は、メインループ２を開始する。メインループ２を開始すると、遠隔制御部２８はデータ番号ｉを０にリセットして、プロセスはステップＳ３０３に進む。データ番号ｉは、アクセス許可の要求のあるデータ別に付される番号であって、優先順位の高い順に、０から始まる昇順の番号である。
【００７０】
ステップＳ３０３では、遠隔制御部２８は、アクセス許可の要求のあるデータ番号ｉのデータｄ（ｉ）のアクセスに要する時間ｔｄ（ｉ）を読出す。アクセスに要する時間ｔｄ（ｉ）を読出すと、プロセスはステップＳ３０４に進む。
【００７１】
ステップＳ３０４では、遠隔制御部２８は、アクセス可能時間ＴからステップＳ３０３で読出したアクセスに要する時間ｔｄ（ｉ）を減じた時間（Ｔ−ｔｄ（ｉ））が０を超えるか否かを判別する。０を超えるときにはプロセスはステップＳ３０５に進む。０未満であるときには、不揮発性メモリ２６へのアクセスを停止して、不揮発性メモリ２６へのアクセスのサブルーチンを終了する。
【００７２】
ステップＳ３０５では、遠隔制御部２８は、データ番号ｉのデータｄ（ｉ）に関して、不揮発性メモリ２６へのアクセスを実行する。アクセスの実行後、プロセスはステップＳ３０６に進む。
【００７３】
ステップＳ３０６では、遠隔制御部２８は、アクセス可能時間Ｔからアクセスに要する時間ｔｄ（ｉ）を減じた時間を、新たなアクセス可能時間Ｔに設定する。アクセス可能時間Ｔの設定後、プロセスはステップ３０７に進む。
【００７４】
ステップＳ３０７では、遠隔制御部２８は、データ番号ｉがアクセス許可の要求のあるデータ番号ｉの最大値となるまで、データ番号ｉに１をインクリメントして、メインループ２（ステップＳ３０２からＳ３０７）を繰返す。データ番号ｉが最大値となるときに、メインループ２を抜け、不揮発性メモリ２６へのアクセスのサブルーチンを終了する。
【００７５】
以上のような構成の本実施形態の電力制御装置によれば、不揮発性メモリ２６へのアクセス要因が発生するときに、アクセスの実行前に電力を供給する本体ユニット１５にアクセス許可の要求を送信し、本体ユニット１５からの応答に基づいてアクセスの可否を判別可能である。このような構成により、遠隔ユニット１６への電力の供給可能時間内に可能なデータに対してのみ不揮発性メモリ２６にアクセスするので、不揮発性メモリ２６の故障を抑制可能である。
【００７６】
また、本実施形態の電力制御装置によれば、遠隔ユニット１６に電力を供給可能な時間は、少なくとも蓄電部２２の蓄電量および負荷機器１４の消費電力に基づいて決められる。したがって、使用している負荷機器１４が変動しても、変動に対応する供給可能時間が算出されるので、電力の供給可能時間内に、不揮発性メモリ２６へのアクセスを終了することが可能である。
【００７７】
また、本実施形態の電力制御装置によれば、不揮発性メモリ２６へのアクセスに関する複数の処理がある場合に、優先順位の高い処理から順番に実行を許可するので、緊急性の高い処理に関して、優先的に不揮発性メモリ２６へのアクセスが可能である。
【００７８】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００７９】
例えば、本実施形態において、遠隔制御部２８からのアクセス許可の要求に対して、本体制御部２０が電力の供給可能時間を含むアクセス可否の応答を返信し、遠隔制御部２８は当該応答に基づいてアクセスの可否を決定する構成であるが、このような構成に限定されない。例えば、遠隔制御部２８が不揮発性メモリ２６へのアクセスに要する時間も含めてアクセス許可を要求し、本体制御部２０がアクセスに要する時間だけ電力の供給が可能であるか否かを判別し、判別結果を遠隔制御部２８に応答し、遠隔制御部２８が応答に応じて不揮発性メモリ２６へのアクセスを実行する構成であってもよい。
【００８０】
また、本実施形態において、本体制御部２０が電力の供給可能時間を遠隔制御部２８に通知し、遠隔制御部２８が通信に係る時間を減じた供給可能時間を算出する構成であるが、本体制御部２０が通信に係る時間を減じた供給可能時間を算出し、遠隔制御部２８に通知する構成であってもよい。
【符号の説明】
【００８１】
１０  電力制御システム
１１  発電装置
１２  電力制御装置
１３  商用系統
１４  負荷機器
１５  本体ユニット
１６  遠隔ユニット
１７  変換部
１８  本体メモリ
１９  通信部
２０  本体制御部
２１  昇圧回路
２２  蓄電部
２３  変換回路
２４  入力部
２５  遠隔メモリ
２６  不揮発性メモリ
２７  通信部
２８  遠隔制御部
２９  外部機器
【図１】
2014143824.tif 000003
【図２】
2014143824.tif 000004
【図３】
2014143824.tif 000005
【図４】
2014143824.tif 000006
【図５】
2014143824.tif 000007
【図６】
2014143824.tif 000008
【図７】
2014143824.tif 000009
【図８】
2014143824.tif 000010
【図９】
2014143824.tif 000011
【図１０】
2014143824.tif 000012
【図１１】
2014143824.tif 000013